(57)【要約】【課題】内部に収納物品を安定設置でき、構造が強固であるとともにデザイン性に優れ、さらに、汚れにくくて清潔に使用される実用性に優れる金属ワイヤー製の自転車用前カゴを提供する。【解決手段】  金属製のワイヤーが組まれて全体が構成され、上方が開放するとともに自転車への取付け部１３、１７を備える自転車用前かごにおいて、底部内面から後部内面下部にかけて、物品設置用の金属製の網プレート１１が取り付けられてなる自転車用前かご。【選択図】図１
0003223332.tif 000002
【実用新案登録請求の範囲】
【請求項１】
金属製のワイヤーが組まれて全体が構成され、上方が開放するとともに自転車への取付け部を備える自転車用前かごにおいて、
底部内面から後部内面下部にかけて、物品設置用の金属製の網プレートが取り付けられてなることを特徴とする自転車用前かご。
【請求項２】
略垂直方向に所定の間隔をおいて並設配置される複数本の略方形の金属製の環状ワイヤーと、前記環状ワイヤーのそれぞれの前面と後面に固着されるとともに底面において連続する複数本の金属製の前後方向ワイヤーと、前記環状ワイヤーの両側面それぞれに固着されるとともに底面において連続する複数本の金属製の横方向ワイヤーとから外郭体が構成され、前記外郭体の底部内面から後部内面下部にかけて、物品設置用の金属製の網プレートが取り付けられてなることを特徴とする自転車用前かご
【請求項３】
前記網プレートが、前記底部内面から前記後部内面下部にかけて、凹み湾曲状に折れ曲がっていることを特徴とする請求項１または２記載の自転車用前かご。
【考案の詳細な説明】
【技術分野】
【０００１】  この考案は、金属ワイヤー製の自転車用前カゴの改良に関する。
【背景技術】
【０００２】  例えば、自転車のハンドル前部には金属線ワイヤーによって構成される上方が開放した前かごが装着使用される。金属製ワイヤーによって構成される自転車用前かごは、樹脂製のものに比べ強度に優れるとともに劣化しないことで長期の使用が行えるが、カゴ内において収納物品を安定設置できにくい問題があった。
【考案の概念】
【考案が解決しようとする課題】
【０００３】  この考案は上記の事情に鑑みておこなったもので、内部に収納物品を安定設置できる金属ワイヤー製の自転車用前カゴを提供することを目的とする。
【課題を解決するための手段】
【０００４】  請求項１の考案では、金属製のワイヤーが組まれて全体が構成され、上方が開放するとともに自転車への取付け部を備える自転車用前かごにおいて、底部内面から後部内面下部にかけて、物品設置用の金属製の網プレートが取り付けられてなることを特徴とする自転車用前かごを提供する。
【０００５】  上記自転車用前かごは、金属製の網プレートが設けられていることで収納物品が金属製の網プレート上に安定収納でき、小物品の下方への落下も防止される。また、構造上において下部に金属製網プレートが組み込まれて固着されることで全体の強度が大幅にアップして、衝撃を受けた際にも自転車用前かごに歪み等が発生するのが防止される。また、金属製の網プレートが底部内面から後部内面下部にかけて設けられ自転車用前かごの前面、両側面には存在しないことで目につきにくく、デザイン性に優れる。また、金属製の網プレートが網状であることで、その上部に雨水等がたまることが無くて汚れが付きにくい。
【０００６】  さらに、請求項２の考案では、略垂直方向に所定の間隔をおいて並設配置される複数本の略方形の金属製の環状ワイヤーと、前記環状ワイヤーのそれぞれの前面と後面に固着されるとともに底面において連続する複数本の金属製の前後方向ワイヤーと、前記環状ワイヤーの両側面それぞれに固着されるとともに底面において連続する複数本の金属製の横方向ワイヤーとから外郭体が構成され、前記外郭体の底部内面から後部内面下部にかけて、物品設置用の金属製の網プレートが取り付けられてなることを特徴とする自転車用前かごを提供する。
【０００７】  請求項２記載の上記自転車用前かごは、請求項１記載の自転車用前かごの作用効果にくわえ、全体が環状ワイヤーと前後方向ワイヤーと横方向ワイヤーとから構成される外郭体内に物品設置用の金属製の網プレートが取り付けられるだけの簡略な構造であるので、製造容易に、かつ、安価に提供される。とくに、金属製の網プレートの組み込み固定により簡略な構造でありながら十分な強度を備える。
【０００８】  上記請求項１、請求項２それぞれの自転車用前かごにおいて、前記金属製の網プレートが、前記底部内面から前記後部内面下部にかけて凹み湾曲状に折れ曲がっている構成とされることで、その部分の強度が強く、また、ゴミ等が溜りにくく清潔に使用される利点がある。
【考案の効果】
【０００９】  この考案によれば、内部に収納物品を安定設置でき、構造が強固であるとともにデザイン性に優れ、さらに、汚れにくくて清潔に使用される、実用性に優れる金属ワイヤー製の自転車用前カゴが得られる。
【図面の簡単な説明】
【００１０】
【図１】  この考案の自転車用前かごの実施形態の外観斜視図
【図２】  この考案の自転車用前かごで使用する金属製網プレートの実施形態の側面図
【考案を実施するための形態】
【００１１】  図１はこの考案の自転車用前かごの外観斜視図である。自転車用前かご１は全体がステンレス製で、略垂直方向に所定の間隔をおいて並設配置される６本の略長方形の環状ワイヤー３と、環状ワイヤー３それぞれの前面と背面の内側に所定の間隔を持って固着されるとともに底面において連続する４本の前後方向ワイヤー５と、環状ワイヤー３それぞれの背面の両側位置と中央位置それぞれにおいて内側に固着され底面に至る４本の補助ワイヤー７と、環状ワイヤー３の両側面においてそれぞれの内側に所定の間隔を持って固着されるとともに底面において連続する３本の横方向ワイヤー９とから外郭体１０が構成されている。底面において、前後方向ワイヤー５と補助ワイヤー７の外面に横方向ワイヤー９がそれぞれの交差位置において固着されている。背面の中央上部には前後方向ワイヤー５と補助ワイヤー７とに固着されて自転車のハンドルポストへの取付け部１３が設けられている。
【００１２】  自転車用前かご１の外郭体１０の底部内面から後部内面下部にかけて、図２に示す側面形状を持つ収納物品設置用のステンレス製の網プレート１１が設けられている。前後方向ワイヤー５と補助ワイヤー７とは底面後部から後面にかけて同様に大きく湾曲しており、網プレート１１は大きな凹み湾曲状の折れ曲がり部１９を備え、その折れ曲がり部１９が前後方向ワイヤー５と補助ワイヤー７の湾曲する上面に沿って固着されて設けられている。網プレート１１の中央前部には自転車の前輪上部への取付け部１７が設けられている。
【００１３】  自転車用前かご１は、上記のように金属製の網プレート１１が内部に設けられていることで、収納物品が網プレート１１上に安定収納でき、小物品の下方への落下も防止される。また、構造上において外郭体１０内下部にステンレス製の網プレート１１が組み込まれて固着されることで全体の強度が大幅にアップして、衝撃を受けた際にも自転車用前かご１に歪み等が発生するのが防止される。また、網プレート１１が底部内面から後部内面下部にかけて設けられ自転車用前かご１の前面、両側面には存在しないことで目につきにくく、デザイン性に優れる。
【００１４】  さらに、自転車用前かご１は全体がステンレス製であることで、汚れにくく、錆びにくくて清潔に使用される。とくに、網プレート１１が網状であることで、その上部に雨水等がたまることが無くて汚れが付きにくく、くわえて、網プレート１１が後部に大きな凹み湾曲状の折れ曲がり部１９を備えていることでとくにその部分の強度が大きく、また、その部分にゴミ等が溜りにくく清潔に使用される。
【符号の説明】
【００１５】１    自転車用前かご
３    環状ワイヤー
５    前後方向ワイヤー
７    横方向ワイヤー
１１  網プレート
１３  取付け部
１７  取付け部
１９  折れ曲がり部
【図１】
0003223332.tif 000003
【図２】
0003223332.tif 000004